(57)【要約】【課題】  黄斑に疾患のある患者においても視標を視認しやすくなると共に、従来よりも実生活に即した状況における視野情報を取得することができる視野計を提供すること。【解決手段】  被検者の視野を検査する視野計において、被検眼に対して視標を呈示させる視標呈示手段を備えた構成とし、該視標呈示手段は、白地の背景に黒字の視標を呈示させることを可能とすることを特徴とする。【選択図】  図１
2016144549.tif 000002
【特許請求の範囲】
【請求項１】
被検者の視野を検査する視野計において、
被検眼に対して視標を呈示させる視標呈示手段を有し、該視標呈示手段は、白地の背景に黒字の視標を呈示させることを可能とすることを特徴とする視野計。
【請求項２】
前記視標及び背景の輝度を測定する輝度測定手段を有する請求項１に記載の視野計。
【請求項３】
前記輝度測定手段により取得された輝度値に基づいて視標及び背景のコントラスト比を算出し、輝度を補正する輝度補正手段を有する請求項２に記載の視野計。
【請求項４】
前記視標呈示手段が、視標として文字を表示することを可能とし、文字サイズまたは文字数または記号の形状の少なくともいずれか１つを変更可能であることを特徴とする請求項１〜３のいずれか一項に記載の視野計。
【請求項５】
前記視標呈示手段としてＤＬＰを用いることを特徴とする請求項１〜４のいずれか一項に記載の視野計。
【発明の詳細な説明】
【技術分野】
【０００１】
本発明は、被験者の視野を検査する視野計に関する。
【背景技術】
【０００２】
従来から、被検眼の視野を検査する眼科装置が開発されている。この種の眼科装置は、検査視標を被検眼に呈示し、その検査視標の視認の応答を行うことにより被検眼の視野計測を行う。特許文献１には、この種の眼科装置に関する従来の技術が開示されている。
【先行技術文献】
【特許文献】
【０００３】
【特許文献１】特開２００５−１０２９４６号公報
【発明の概要】
【発明が解決しようとする課題】
【０００４】
上述の従来技術では、視標は、その背景よりも高い輝度で表示される。しかしながら、黄斑に疾患のある患者については濃淡でしか見分けることができないため、ある程度の輝度を持つ背景に対してさらに高い輝度の視標を呈示した場合は、視標が視認しづらいという問題があった。また、日常生活においては、白地の中に黒字で書かれた文字を見るなど、背景よりも低い輝度で表される情報を取得する機会が多い。よって、視標の輝度が背景の輝度よりも高くなるような表示方法のみでは、実生活上において物を見るという事を十分に評価することにはならない。
【０００５】
さらに、従来技術では視標には記号が用いられるが、ロービジョンの場合においては、文字が判別できるかどうかが重要であり、記号の視標のみを用いた検査では不十分であった。
【０００６】
本発明は、上記の問題を解決するためになされたものであって、黄斑に疾患のある患者においても視標を視認しやすくなると共に、従来よりも実生活に即した状況における視野情報を取得することができる視野計を提供することを目的とする。
【課題を解決するための手段】
【０００７】
上記目的を達成するために、本発明の第１の態様は、被検者の視野を検査する視野計において、被検眼に対して視標を呈示させる視標呈示手段を有し、該視標呈示手段は、白地の背景に黒字の視標を呈示させることを可能とすることを特徴とする。
【０００８】
本態様に従う構造とされた視野計によれば、視標の輝度が、背景の輝度に対して低くなるように視標を呈示可能とすることにより、黄斑に疾患のある患者においても視標を視認しやすくなる。また、視標の輝度が背景の輝度よりも高くなるような呈示方法のみの場合と比較し、より実生活上に即した状況における視野情報を取得することができる。
【０００９】
本発明の第２の態様は、前記第１の態様に係る視野計において、前記視標及び背景の輝度を測定する輝度測定手段を有する。
【００１０】
本発明の第３の態様は、前記第２の態様に係る視野計において、前記輝度測定手段により取得された輝度値に基づいて視標及び背景のコントラスト比を算出し、輝度を補正する輝度補正手段を有する。
【００１１】
本発明の第４の態様は、前記第１〜３のいずれか１つの態様に係る視野計において、前記視標呈示手段が、視標として文字を表示することを可能とし、文字サイズまたは文字数または記号の形状の少なくともいずれか１つを変更可能であることを特徴とする。
【００１２】
本態様に従う構造とされた視野計によれば、ロービジョンにおいては、視標が視認できたか否かだけではなく文字が判別できるかどうかが重要であるため、視標として文字を表示することを可能とし、文字サイズまたは文字数または記号の形状の少なくともいずれか１つを変更可能にすることにより、ロービジョン診断において有効な検査が可能となる。
【００１３】
本発明の第５の態様は、前記第１〜４のいずれか１つの態様に係る視野計において、前記視標呈示手段としてＤＬＰを用いることを特徴とする。
【００１４】
本態様に従う構造とされた視野計によれば、視標呈示手段としてＤＬＰを用いることにより、高いコントラスト比を得ることが可能となるため、黄斑に疾患のある患者において視標の視認しやすさが向上する。
【発明の効果】
【００１５】
上記のように、本発明にかかる視野計によれば、視標の輝度が背景の輝度に対して低くなるように視標を呈示可能とすることにより、黄斑に疾患のある患者においても視標を視認しやすくなり、より実生活上に即した状況における視野情報を取得することが可能となる。そして、視標として文字を表示することを可能とすることにより、ロービジョン診断において有効な検査が可能となる。
【図面の簡単な説明】
【００１６】
【図１】本実施例に係る視野計の光学系の概略構成図である。
【図２】本実施例に係る視野計の制御系のブロック図である。
【図３】本実施例に係る視野計の視標呈示位置設定のモニタの表示画面の例を示す図である。
【図４】本実施例に係る視野計の視標呈示の様子と呈示位置のトラッキングの方法の説明図である。
【発明を実施するための形態】
【実施例】
【００１７】
以下、本発明の一実施例に係る視野計について図面を参照して説明する。
【００１８】
本実施例の視野計は、図１に示すように、レーザー光を被検眼Ｅの眼底上で走査することで眼底画像を取得する眼底画像取得光学系１０（Ｓｃａｎｎｉｎｇ  Ｌａｓｅｒ  Ｏｐｔｈａｌｍｏｓｃｏｐｅ：ＳＬＯ）と、ＤＬＰ（登録商標）（Ｄｉｇｉｔａｌ  Ｌｉｇｈｔ  Ｐｒｏｃｅｓｓｉｎｇ）方式プロジェクタにより被検眼Ｅの眼底に対して視標および背景および固視灯を呈示する視標光学系２０とを有している。その他、視野計には、被検眼Ｅの前眼部を観察する観察光学系、被検眼Ｅに対して眼科装置を所定の位置関係にアライメントするためのアライメント光学系を有している（図示省略）。
【００１９】
眼底画像取得光学系１０は、ライン上の光を出射するラインレーザー光源４０を用いる。ラインレーザー光源４０から出射されたライン上の光はミラー４２で反射され、ホールミラー４４の中央部の空いた穴を通り、スキャナ４６に照射される。本実施例では、スキャナ４６は、ガルバノメーターであり、ガルバノメーターに装着されたミラー（ガルバノミラー）４８によって、所定の方向に偏向される。そして、レンズ５０，５２を通り、ダイクロイックミラー５４、レンズ５６を介して、被検眼Ｅの眼底に照射される。被検眼Ｅの眼底からの反射光は、レンズ５６、ダイクロイックミラー５４、レンズ５０，５２、スキャナ４６を介して、ホールミラー４４でリング状のミラーにあたり反射する。そしてレンズ５８を通り、ラインセンサ６０で検出される。ラインセンサ６０で検出された光強度情報は、デジタル信号に変換され制御装置８０に入力される。
【００２０】
視標光学系２０は、被検眼Ｅの眼底の所定の位置に所定の視標を呈示（投影）するためにＤＬＰプロジェクタ７０を光源として用いる。ＤＬＰプロジェクタ７０は、マトリクス状に敷き詰められたミクロンサイズのマイクロミラーの角度をそれぞれ可変制御することにより呈示パターンを作り出す。すなわち、各マイクロミラーの傾斜角度をオン／オフし、オンの場合は、光がレンズを通り投影され、オフの場合は、光が光吸収板に吸収される。そのため、各マイクロミラーの傾斜角度をオン／オフ制御することにより、眼底の任意の位置に任意の形状や大きさの視標を形成し呈示することが可能となる。また、呈示する視標は記号だけではなく文字も形成することが可能であり、その文字数も自由に変更ができる。なお、ＤＬＰプロジェクタ７０は、視標の他に、被検眼を固定させておく目的で被験者に注視させるための固視灯および背景も投影させることができる。さらに、ＤＬＰプロジェクタ７０は、各マイクロミラーのオン／オフの時間の割合を変更することにより輝度を変更することができるため、白地の背景に黒字の視標を呈示することが可能である。
【００２１】
ＤＬＰプロジェクタ７０から出射された光は、レンズ７２を通りミラー７４で反射され、レンズ７６を介してダイクロイックミラー５４で反射されて、被検眼Ｅの眼底面に照射される。
【００２２】
次に、本実施例の視野計の制御系の構成を説明する。図２に示すように、視野計は、制御装置８０によって制御される。制御装置８０は、ＣＰＵ，ＲＯＭ，ＲＡＭ等からなるマイクロコンピュータ（マイクロプロセッサ）によって構成されている。制御装置８０には、ＤＬＰプロジェクタ７０と、スキャナ４６と、ラインセンサ６０と、タッチパネル８２のモニタ８４と、メモリ８６と、輝度測定部８８が接続されている。
【００２３】
制御装置８０は、スキャナ４６の駆動を制御することで、被検眼Ｅの眼底上でライン状の光を走査する。すなわち、本実施例では、ラインレーザー光源４０から出力される光は、Ｘ方向にライン状に伸びているため、制御装置８０は、スキャナ４６をＹ方向（図１の紙面に直交する方向）に駆動制御し、光を走査する。また、制御装置８０には、ラインセンサ６０で１ラインずつ検出された反射光の強度に応じた電気信号が入力され、複数ラインの電気信号から被検眼Ｅの２次元の眼底画像１００を生成し、その生成した眼底画像１００をモニタ８４に表示する。さらに、制御装置８０には、輝度測定部８８により取得された、視標および背景の輝度情報が入力され、その取得した輝度情報に基づいて視標及び背景のコントラスト比を算出し、輝度を補正する。
【００２４】
次に、以上のような構成を備える視野計を用いて、患者眼の視野を測定する場合の動作を説明する。
【００２５】
検者は図示しないジョイスティック等の操作部材を操作して、被検眼Ｅと装置のアライメントを行う。アライメントが完了すると、ラインレーザー光源４０の光束が被検眼Ｅの眼底に照射され、制御装置８０はスキャナ４６を駆動させ、眼底画像１００の取得が開始される。本実施例では、ラインセンサ６０で被検眼Ｅの眼底画像１００を連続的に取得し、リアルタイムな動画像としてモニタ８４に表示される。
【００２６】
モニタ８４に眼底画像１００が表示されると、検者は眼底画像１００に対して視標１３０を投影する呈示位置１１０を設定する。なお、本実施例では、上述のように、モニタ８４はタッチパネル式であり、呈示位置１１０の設定は、検者がモニタ８４の画面上のタッチパネル８２をタッチ操作することにより行うことができるようになっている。つまり、タッチパネル８２が指定手段として機能するようになっている。なお、マウス機能があれば、マウス操作により、呈示位置１１０を設定してもよいということは上述の通りである。
【００２７】
また、本実施例の視野計は、固視微動等による被検眼Ｅの経時的な動きに合わせて呈示位置１１０を移動させるオートトラッキング機能を有している。オートトラッキングを行うために、まずモニタ８４に表示されている眼底画像１００において、検者が特徴部位を２点指定する。例えば、検者は、眼底画像１００における乳頭と血管の２点を、タッチパネルをタッチすることで指定する。そして、制御装置８０は、動画撮影により得られるフレームを逐次解析し、指定した２点の特徴部位の各座標位置のずれ量（移動量）を検出し、検出したずれ量に基づいて呈示位置１１０を算出し、ＤＬＰプロジェクタ７０を制御する。
【００２８】
具体的には、図４に示すように、検者が指定したフレーム画像（フレーム初期画像と呼ぶ）における乳頭の座標が（Ｘａ，Ｙａ）、血管の座標が（Ｘｂ，Ｙｂ）、呈示位置１１０の中心座標が（Ｘｃ，Ｙｃ）とする（図４（ａ）参照）。次のフレーム画像における乳頭の座標が（Ｘａ’，Ｙａ’）、血管の座標が（Ｘｂ’，Ｙｂ’）とすると、呈示位置１１０の中心座標（Ｘｃ’，Ｙｃ’）は、フレーム初期画像からの乳頭の座標位置のずれ量（Ｘａ’−Ｘａ，Ｙａ’−Ｙａ）、血管の座標位置のずれ量（Ｘｂ’−Ｘｂ，Ｙｂ’−Ｙｂ）から、（Ｘｃ’，Ｙｃ’）＝（Ｘｃ＋（（Ｘａ’−Ｘａ）＋（Ｘｂ’−Ｘｂ））／２，Ｙｃ＋（（Ｙａ’−Ｙａ）＋（Ｙｂ’−Ｙｂ））／２）となる（図４（ｂ）参照）。そして、算出された中心座標（Ｘｃ’，Ｙｃ’）に呈示位置１１０が来るようにＤＬＰプロジェクタを制御する。この動作を動画像撮影により得られるフレームごとに行うことで、被検眼Ｅの経時的な動きに合わせた呈示位置１１０の追従を行うことができる。
【００２９】
視野検査のための各種条件設定が完了したら、検者は、視標呈示スイッチ（不図示）を押す。視標呈示スイッチが押されると、制御装置８０は、ＤＬＰプロジェクタ７０の光源を点灯させ、設定した呈示位置１１０に対して所定の時間設定された視標１３０を呈示する。また、背景についても視標呈示と同時に被検眼Ｅの眼底に照射させる。患者が視標を視認できたか否かを確認する方法は、患者が応答スイッチ（不図示）を押す方法でもよいし、検者に対して口頭で伝える方法でもよい。なお、本実施形態では、視標を呈示時に、上述した呈示位置のオートトラッキングが行われる。これにより、視標呈示中に被検眼Ｅの固視微動等があったとしても、上述のようにして特徴部位のずれ量に基づき、ＤＬＰプロジェクタ７０による視標１３０の呈示位置１１０が随時補正されるため、視標１３０を予め設定した呈示位置１１０にずれることなく呈示可能となる。
【００３０】
以上、本発明の実施例について詳細に説明したが、これはあくまでも例示であって、特許請求の範囲を限定するものではなく、本発明の趣旨を逸脱しない範囲において種々の変更を加えることが可能である。
【００３１】
また、上記実施例では、眼底画像取得光学系にラインレーザー光源を用いたラインＳＬＯを採用したが、眼底画像取得手段はこれに限定されるものではなく、点でスキャンするＳＬＯでもよいし、眼底カメラの光学系を採用してもよい。また、構成は複雑になるが、光干渉を用いた眼底ＯＣＴを採用してもよい。
【符号の説明】
【００３２】
１０・・眼底画像取得光学系、２０・・視標呈示光学系、４６・・スキャナ、６０・・ラインセンサ、７０・・ＤＬＰプロジェクタ、８０・・制御装置、８４・・モニタ、８８・・輝度測定部
【図１】
2016144549.tif 000003
【図２】
2016144549.tif 000004
【図３】
2016144549.tif 000005
【図４】
2016144549.tif 000006